(57)【要約】【課題】  偏波分離性能に優れ、歩留まりが向上する衛星信号コンバータを提供する。【解決手段】  ＬＮＢコンバータは、ホーン部に接続された導波管部を備え、導波管部は、導波管８と、導波管８の内部に少なくとも一部が配置された偏波リブ５とを含み、導波管８と偏波リブ５とが個別に形成されて、互いに固定されている。【選択図】        図４
2005347809.tif 000002
【特許請求の範囲】
【請求項１】
ホーン部に接続された導波管部を備え、
前記導波管部は、導波管と、
前記導波管の内部に、少なくとも一部が配置された偏波リブと
を含み、
前記導波管と偏波リブとが個別に形成されて、互いに固定されている、衛星信号コンバータ。
【請求項２】
前記偏波リブは、アルミニウム、亜鉛、ステンレス、および導電性樹脂のうち、いずれかを材料にして形成された、請求項１に記載の衛星信号コンバータ。
【請求項３】
前記導波管が固定されたシャーシ本体を備え、
前記偏波リブは、複数の固定部材に挟まれるように固定され、
前記固定部材は、シャーシ本体に固定された、請求項１に記載の衛星信号コンバータ。
【請求項４】
前記導波管の内面に溝部が形成され、
前記偏波リブは、前記溝部に挿入されて、前記導波管に接着材で固定されている、請求項１に記載の衛星信号コンバータ。
【請求項５】
前記接着材は、シリコン系樹脂、エポキシ系樹脂およびアクリル系樹脂のうち、いずれかを含む、請求項４に記載の衛星信号コンバータ。
【発明の詳細な説明】
【技術分野】
【０００１】
本発明は、衛星放送や衛星通信のアンテナ装置に用いられる衛星信号コンバータに関する。
【背景技術】
【０００２】
図８に、衛星放送や衛星通信などの電波を受信するアンテナ装置の斜視図を示す。アンテナ装置は、パラボラアンテナ３２を備え、パラボラアンテナ３２に対向するように、電波を受信する部分として、衛星信号コンバータが配置されている。図８に示す例においては、電波受信用のＬＮＢコンバータ（Low Noise Block Down Converter）３１が形成されている。ＬＮＢコンバータ３１は、パラボラアンテナ３２から離間して配置され、矢印４１に示すように、パラボラアンテナ３２の表面で反射した電波を受信できる位置に配置されている。ＬＮＢコンバータ３１で受信された電波は、ケーブル３３によって屋内の受信装置などに伝達される。
【０００３】
図９に、ＬＮＢコンバータの側面図を示す。ＬＮＢコンバータは、シャーシ本体１と、導波管部２０と、ホーン部３とを備える。パラボラアンテナの表面で反射した電波は、ホーン部３の内部に配置された一次放射器で受信される。一次放射器で受信された電波は、導波管部２０を通ってプローブで信号として検出される。検出された信号は、シャーシ本体１の内部に導かれる。シャーシ本体１の内部には、電気回路が配置され、検出された信号の周波数の変換などが行なわれる。シャーシ本体１の一の面には、Ｆ接栓４が配置されている。ＬＮＢコンバータの出力信号は、Ｆ接栓４に接続されたケーブルを介して伝達される（図８参照）。導波管部２０は、円筒状に形成され、導波管部２０の軸方向がシャーシ本体１の表面に対して垂直になるように形成されている。
【０００４】
衛星放送や衛星通信に用いられているマイクロ波には、通常２つの成分が含まれている。円偏波の場合には、右旋偏波と左旋偏波とが含まれている。
【０００５】
たとえば、衛星放送からの電波を受信する衛星放送受信用コンバータには、この２つの偏波を分離する偏波分離構造が含まれている。導波管部２０の内部には、偏波分離を行なうための構造として偏波リブが形成されている。
【０００６】
図１０に、導波管部２０の断面図、図１１に、図１０におけるＸＩ−ＸＩ線に関する矢視断面図を示す。導波管部２０は、管部２３と偏波リブ部２１とを含む。導波管部２０は、断面形状が円形になるように形成され、断面形状の円の直径に対応するように、板状の偏波リブ部２１が形成されている。偏波リブ部２１は、一方の端に、平面形状が階段状のセプタム部２２を含む。
【０００７】
偏波リブ部２１と管部２３とは、鋳造により一体的に形成されている。すなわち、偏波リブ部２１と、管部２３とは、１つの部材として形成されている。導波管部２０は、シャーシ本体１に固定されている。
【０００８】
導波管部に特徴を有する構造に関しては、たとえば、実開昭６１−１３４１０３号公報において、導波管の内部がテーパ形状に構成された導波管・同軸線モード変換器が開示されている。
【特許文献１】実開昭６１−１３４１０３号公報
【発明の開示】
【発明が解決しようとする課題】
【０００９】
図８から図１１に示したＬＮＢコンバータにおいて、偏波リブ部２１のセプタム部２２の形状は、右旋偏波または左旋偏波のうち、一方の偏波のみを通過させ、他方の偏波を遮断するような形状に形成されている。このため、セプタム部２２の形状が所定の形状から規定範囲を逸脱すると、偏波分離を精度よく行なうことができないという問題があった。
【００１０】
たとえば、セプタム部２２のそれぞれの段の先端のＲ形状（図示せず）や、セプタム部２２の幅、または、セプタム部２２の管部２３における位置などが規定からずれると、偏波分離の性能に変動が生じ、所望の偏波分離を行なうことができなという問題があった。
【００１１】
従来の技術においては、鋳造によって管部２３と偏波リブ部２１とが形成されているため、鋳造の条件などによっては、セプタム部２２の形状が所定の形状を満たすことができなくなり、歩留りが非常に悪くなるという問題があった。
【００１２】
本発明は、上記の問題点を解決するためになされたものであり、偏波分離性能に優れ、歩留まりが向上する衛星信号コンバータを提供することを目的とする。
【課題を解決するための手段】
【００１３】
上記目的を達成するため、本発明に基づく衛星信号コンバータは、ホーン部に接続された導波管部を備え、上記導波管部は、導波管と、上記導波管の内部に少なくとも一部が配置された偏波リブとを含み、上記導波管と偏波リブとが個別に形成されて、互いに固定されている。この構成を採用することにより、偏波分離性能に優れ、歩留りが向上する衛星信号コンバータを提供することができる。
【００１４】
上記発明において好ましくは、上記偏波リブは、アルミニウム、亜鉛、ステンレス、および導電性樹脂のうち、いずれかを材料にして形成されている。これらのうちいずれかの構成を採用することにより交差偏波が向上する。
【００１５】
上記発明において好ましくは、上記導波管が固定されたシャーシ本体を備え、上記偏波リブは、複数の固定部材に挟まれるように固定され、上記固定部材は、シャーシ本体に固定されている。この構成を採用することにより、容易に上記偏波リブを上記導波管に固定することができる。また、上記偏波リブの位置調整を容易に行なうことができる。
【００１６】
上記発明において好ましくは、上記導波管の内面に溝部が形成され、上記偏波リブは、上記溝部に挿入されて、上記導波管に接着材で固定されている。この構成を採用することにより、容易な構成で、上記偏波リブを上記導波管に固定することができる。
【００１７】
上記発明において好ましくは、上記接着材は、シリコン系樹脂、エポキシ系樹脂およびアクリル系樹脂のうち、いずれかを含む。この構成を採用することにより、周知の部材で、上記偏波リブを上記導波管に固定することができる。
【発明の効果】
【００１８】
本発明によれば、偏波分離性能に優れ、歩留まりが向上する衛星信号コンバータを提供することができる。
【発明を実施するための最良の形態】
【００１９】
（実施の形態１）
（構成）
図１から図５を参照して、本発明に基づく実施の形態１における衛星信号コンバータについて説明する。本実施の形態における衛星信号コンバータは、衛星放送の信号を受信するアンテナ装置に備えられたＬＮＢコンバータである。図８に示すように、ＬＮＢコンバータが、パラボラアンテナの表面に対向するように配置されることは、従来の技術におけるＬＮＢコンバータと同様である。
【００２０】
図１に、本実施の形態におけるＬＮＢコンバータの正面図を示し、図２に、ＬＮＢコンバータの側面図を示す。ＬＮＢコンバータは、シャーシ本体１と、導波管部２と、ホーン部３とを備える。本実施の形態におけるＬＮＢコンバータは、複数の電波を受信するためのＬＮＢコンバータである。導波管部２は、複数形成されている。
【００２１】
本実施の形態においては、それぞれの導波管部２の断面形状が円形になるように形成されている。すなわち、導波管部２は、外形形状が円柱状になるように形成されている。２つの導波管部２は、軸方向が互いに平行になるように形成され、該軸方向は、シャーシ本体１の表面に垂直になるように形成されている。導波管部２は、シャーシ本体１の表面から突出するように形成されている。
【００２２】
シャーシ本体１は、ほぼ直方体状の箱型に形成され、内部には周波数変換回路などの電気回路が形成されている。シャーシ本体１の側面には、外部へのケーブルを接続するための、Ｆ接栓（Ｆコネクタ）４が形成されている。本実施の形態においては、Ｆ接栓４が２つ形成されている。
【００２３】
ホーン部３は、導波管部２の先端に形成されている。ホーン部３の内部には、ホーン型の一次放射器や誘電体型の一次放射器が配置されている。本実施の形態においては、それぞれの導波管部２に対して、それぞれの一次放射器が形成されている。ホーン部３は、電波を受信するように形成され、導波管部２は、受信した電波がプローブで検出されるようにホーン部３に接続されている。
【００２４】
図３に、１つの導波管部２の断面図を示し、図４に、図３におけるＩＶ−ＩＶ線に関する矢視断面図を示す。導波管部２は、円筒形状の導波管８と、偏波分離を行なうための平板状の偏波リブ５とを含む。導波管部２における導波管８と偏波リブ５とは、それぞれが個別の部材として形成されている。
【００２５】
導波管８は、溝部１５を有する。溝部１５は、導波管８の断面形状である円形の直径上に配置されている。溝部１５は、偏波リブ５の断面形状に対応するように形成されている。溝部１５は、導波管８の軸方向とほぼ平行になるように形成されている。すなわち、偏波リブ５の主表面と導波管８の軸方向とが、ほぼ平行になるように形成されている。または、偏波リブ５は、導波管８の断面形状における円の中心を通るように配置されている。本実施の形態における偏波リブ５は、アルミニウムを材料にして形成されている。
【００２６】
図４に示すように、導波管８は、シャーシ本体１に溶接などの方法によって接合固定されている。偏波リブ５は、一部が導波管８の溝部１５に挿入され、導波管８に差し込まれるように配置されている。偏波リブ５は、平面形状が階段状のセプタム部６を有する。本実施の形態においては、セプタム部６が、ホーン部に対向するように配置されている。本実施の形態においては、偏波リブ５の固定部材として、固定板１０が形成されている。
【００２７】
図５に、図４の部分を、固定板１０の側から見たときの背面図を示す。図４および図５を参照して、偏波リブ５は、シャーシ本体１の内部に突き出した一部分が、固定板１０によって固定されている。偏波リブ５は、２つの固定板１０に固定されている。固定板１０は、板状に形成され、偏波リブ５を挟み込むように配置されている。
【００２８】
固定板１０は、シャーシ本体１に形成されたビス固定部１２に、ビス１１によって固定されている。ビス固定部１２は、シャーシ本体１の内側に向かって突出するように形成された部分である。ビス１１は、ビス固定部１２に固定されている。２枚の固定板１０は、偏波リブ５を挟み込んだ状態で固定されている。このように、固定板１０は、ビス固定部１２を介して、シャーシ本体１に固定されている。
【００２９】
（作用・効果）
図１および図２を参照して、パラボラアンテナの表面で反射した電波は、ホーン部３で受信される。ホーン部３で受信された電波は、導波管部２を通って、プローブで信号として検出され、シャーシ本体１の内部に形成された周波数変換などの電気回路に導かれる。電気回路からの出力は、Ｆ接栓４を通して、接続ケーブルに伝えられる。右旋偏波および左旋偏波を含む電波は、導波管部２の内部で、直線偏波に変換される。すなわち、導波管部２の内部に配置された偏波リブ５によって円偏波が直線偏波に変換される。
【００３０】
図３および図４を参照して、本発明に基づくＬＮＢコンバータの導波管部は、導波管と偏波リブとが個別に形成されている。すなわち、別の製造工程でそれぞれ形成された導波管と偏波リブとが互いに固定され、導波管部が形成されている。この構成を採用することにより、容易に偏波リブを形成することができる。また、偏波リブの形状を精密に製造することができ、偏波分離性能に優れたＬＮＢコンバータを提供することができる。
【００３１】
たとえば、偏波リブを鋳造で形成する場合には、鋳造を行なう際の条件を偏波リブのみに合わせることができ、鋳造の条件の調整幅が大きくなるとともに寸法精度が向上するなどの品質の優れた偏波リブを形成することができる。同様に、品質の優れた導波管を形成することができる。
【００３２】
また、製造工程において、導波管に対して偏波リブを固定することができ、導波管部における偏波リブの位置を微調整することができる。したがって、偏波分離特性を向上させることができる。
【００３３】
このように、導波管と偏波リブとの部材の寸法精度が向上するとともに、導波管に対する偏波リブの位置を微調整することができる。したがって、製造における不良品を減らすことができて、歩留りを向上させることができる。すなわち、生産ラインにおける直交率を大幅に向上させることができる。
【００３４】
図４および図５に示すように、本実施の形態におけるＬＮＢコンバータは、偏波リブが複数の固定部材としての固定板に挟まれるように固定され、複数の固定板は、シャーシ本体に固定されている。この構成を採用することにより、容易に偏波リブを導波管に固定することができる。また、組立時において、偏波リブの位置を容易に微調整することができる。
【００３５】
本発明に基づく衛星信号コンバータは、導波管と偏波リブとが個別に形成されているため、導波管の材質と偏波リブの材質とを異なるものにすることができる。本実施の形態における偏波リブは、アルミニウムから形成されているが、特にこの形態に限られず、受信する電波の特性や偏波リブの耐久性などを考慮して、亜鉛、ステンレスおよび導電体樹脂のうち、いずれかを材料にして形成されていてもよい。これらのうちいずれかの材料で偏波リブが形成されていることによって、それぞれの電波に対応した偏波リブを形成することができる。この結果、偏波分離特性を向上させたり、交差偏波を向上させたりすることができる。
【００３６】
本実施の形態においては、複数の固定部材として、２枚の固定板によって偏波リブが固定されているが、特にこの形態に限られず、より多くの固定部材に偏波リブが固定されていてもかまわない。たとえば、偏波リブの四隅が、それぞれの固定部材で固定されていても構わない。また、固定部材としては板状の部材に限られず、任意の形状のものを用いることができる。また、本実施の形態においては、２つの導波管部が互いに同じ構成を有しているが、いずれか一方の導波管部に本発明が適用されていても、導波管部が１つのみ形成されていても構わない。
【００３７】
また、本実施の形態においては、衛星放送を受信するＬＮＢコンバータについて説明したが、特にこの形態に限られず、衛星放送または衛星通信を受信する衛星信号コンバータに本発明を適用することができる。
【００３８】
（実施の形態２）
（構成）
図６および図７を参照して、本発明に基づく実施の形態２における衛星信号コンバータについて説明する。本実施の形態における衛星信号コンバータは、衛星放送の信号を受信するためのＬＮＢコンバータである。ＬＮＢコンバータが、アンテナ装置のパラボラアンテナに対向するように配置され、導波管部を含むことは、実施の形態１におけるＬＮＢコンバータと同様である。本実施の形態のＬＮＢコンバータにおいては、導波管部の構成が、実施の形態１におけるＬＮＢコンバータと異なる。
【００３９】
図６に、本実施の形態における導波管部の断面図を示す。図７に、図６におけるＶＩＩ−ＶＩＩ線に関する矢視断面図を示す。導波管部９が、導波管８および偏波リブ５を含むことは、実施の形態１と同様である。
【００４０】
本実施の形態におけるＬＮＢコンバータは、導波管８と偏波リブ５とが、接着材としての樹脂７で互いに固定されている。導波管８の内面に溝部１５が形成され、溝部１５に偏波リブ５の一部が嵌め込まれるように、偏波リブ５が配置されている。樹脂７は、溝部１５に配置され、溝部１５に沿って導波管８と偏波リブ５とを固定するように配置されている。導波管８と偏波リブ５とを固定する樹脂としては、シリコン系樹脂、エポキシ系樹脂およびアクリル系樹脂などを用いることができる。
【００４１】
その他の構成については、実施の形態１と同様であるので、ここでは説明を繰返さない。
【００４２】
（作用・効果）
本実施の形態におけるＬＮＢコンバータは、導波管の内面に溝部が形成され、偏波リブは、溝部に挿入されて樹脂で導波管部に固定されている。この構成を採用することにより、偏波リブを導波管に固定する構成を簡単なものにすることができる。
【００４３】
偏波リブと導波管とを固定する樹脂としては、シリコン系樹脂、エポキシ系樹脂およびアクリル系樹脂などを用いることができる。これらのうち、いずれかが用いられることにより、周知の接着材で偏波リブと導波管とを確実に固定することができる。また、接着材は、導波管の材質と偏波リブの材質とに応じて最適なものを用いることが好ましい。
【００４４】
その他の作用および効果については実施の形態１と同様であるので、ここでは説明を繰返さない。
【００４５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４６】
【図１】実施の形態１におけるＬＮＢコンバータの正面図である。
【図２】実施の形態１におけるＬＮＢコンバータの側面図である。
【図３】実施の形態１におけるＬＮＢコンバータの導波管部の第１の断面図である。
【図４】実施の形態１におけるＬＮＢコンバータの導波管部の第２の断面図である。
【図５】実施の形態１におけるＬＮＢコンバータの偏波リブを固定する部分の背面図である。
【図６】実施の形態２におけるＬＮＢコンバータの導波管部の第１の断面図である。
【図７】実施の形態２におけるＬＮＢコンバータの導波管部の第２の断面図である。
【図８】アンテナ装置の斜視図である。
【図９】従来の技術に基づくＬＮＢコンバータの側面図である。
【図１０】従来の技術に基づくＬＮＢコンバータの導波管部の第１の断面図である。
【図１１】従来の技術に基づくＬＮＢコンバータの導波管部の第２の断面図である。
【符号の説明】
【００４７】
１  シャーシ本体、２，９  導波管部、３  ホーン部、４  Ｆ接栓、５  偏波リブ、６  セプタム部、７  樹脂、８  導波管、１０  固定板、１１  ビス、１２  ビス固定部、１５  溝部、２０  導波管部、２１  偏波リブ部、２２  セプタム部、２３  管部、３１  ＬＮＢコンバータ、３２  パラボラアンテナ、３３  ケーブル、４１  矢印。
【図１】
2005347809.tif 000003
【図２】
2005347809.tif 000004
【図３】
2005347809.tif 000005
【図４】
2005347809.tif 000006
【図５】
2005347809.tif 000007
【図６】
2005347809.tif 000008
【図７】
2005347809.tif 000009
【図８】
2005347809.tif 000010
【図９】
2005347809.tif 000011
【図１０】
2005347809.tif 000012
【図１１】
2005347809.tif 000013